(57)【要約】【課題】電子番組表のような番組情報を含まないアナログ放送信号のシリーズ番組を録画予約によって記録媒体に記録する場合でも、タイトルの一覧表示のみで録画番組の話数まで確認できるようにする。【解決手段】マイコン１２は、シリーズ番組のシリーズ録画予約時に自動タイトル番号の記録モードが選択されると、そのシリーズ番組の放送パターンに従った録画パターンの選択、タイトル名の入力、開始話数の設定の各項目の設定画面をモニタ装置３０に表示し、ユーザがこの設定画面の各項目に入力を行うと、前記選択された録画パターンと録画予約日とに基づき、クロック回路１４の時計機能とカレンダー機能とを用いて、シリーズ番組のそれ以降の話数を計算し、予約録画時には計算した話数のデータを番組データとともに、ＤＶＤ部５の光ディスクやＨＤＤ部６のハードディスク（ＨＤ）に記録する。【選択図】図１
2008072483.tif 000002
【特許請求の範囲】
【請求項１】
電子番組表のような番組情報を含まないアナログ放送信号の番組データを録画予約によって記録媒体に記録する制御手段を備えた記録装置において、
現在時刻を計時する時計手段と、
年月日を計測するカレンダー手段とを備えており、
前記制御手段は、シリーズ番組のシリーズ録画予約時に自動タイトル番号の記録モードが選択されると、そのシリーズ番組の放送パターンに従った録画パターンの選択、タイトル名の入力、開始話数の設定の各項目の設定画面を表示し、ユーザがこの設定画面の各項目に入力を行うと、前記選択された録画パターンと録画予約日とに基づき、前記時計手段とカレンダー手段とを用いて前記シリーズ番組のそれ以降の話数を計算し、予約録画時には前記計算した話数のデータを番組データとともに前記記録媒体に記録し、前記記録媒体に記録されたシリーズ番組の一覧を表示するときには、前記タイトル名とともに話数も併せて表示することを特徴とする記録装置。
【請求項２】
電子番組表のような番組情報を含まないアナログ放送信号の番組データを録画予約によって記録媒体に記録する制御手段を備えた記録装置において、
前記制御手段は、シリーズ番組のシリーズ録画予約時に自動タイトル番号の記録モードが選択されると、そのシリーズ番組の放送パターンと録画予約日とに基づいて、前記シリーズ番組のそれ以降の話数を計算し、予約録画時には前記計算した話数のデータを番組データとともに前記記録媒体に記録することを特徴とする記録装置。
【請求項３】
シリーズ録画予約時の自動タイトル番号の記録モードでは、前記放送パターンに従った録画パターンの選択、タイトル名の入力、開始話数の設定の各項目の設定画面が表示され、ユーザがこの設定画面の各項目に入力を行うことで、前記話数の計算が開始されることを特徴とする請求項２に記載の記録装置。
【請求項４】
現在時刻を計時する時計手段と年月日を計測するカレンダー手段とを備えており、前記制御手段は、前記話数の計算をこれら時計手段とカレンダー手段とを用いて行うことを特徴とする請求項２または請求項３に記載の記録装置。
【請求項５】
前記放送パターンは、毎日放送、毎週放送、月曜から金曜まで毎日放送、月曜から土曜まで毎日放送などの各種パターンであることを特徴とする請求項２に記載の記録装置。
【請求項６】
前記放送パターンが１回の放送時に複数話を放送するパターンである場合、シリーズ録画予約時の自動タイトル番号の記録モードでは、話数分割のための分割時間設定画面がさらに表示され、この分割時間設定画面に話数分に対応した分割時間が入力されると、前記制御手段は、この入力分割時間に従って、複数話の連続放送を各話ごとに分割して順次話数を計算することを特徴とする３に記載の記録装置。
【請求項７】
前記制御手段は、前記記録媒体に記録されたシリーズ番組の一覧を表示するときには、前記タイトル名とともに話数も併せて表示することを特徴とする請求項２ないし請求項６のいずれかに記載の記録装置。
【発明の詳細な説明】
【技術分野】
【０００１】
本発明は、電子番組表のような番組情報を含まないアナログ放送信号の番組データを録画予約によって記録媒体に記録する記録装置に関する。
【背景技術】
【０００２】
番組データを録画予約によって記録媒体に記録する記録装置は従来から種々提案されている（例えば、特許文献１〜４等参照）。
【０００３】
特許文献１には、記憶部に記憶されたタイトルと同じタイトルの番組を検出すると、その検出した番組の番組データに含まれる話数と記憶部に記憶されている話数とを比較し、両話数が一致するときには、その番組の放送日時に、チューナ部にて該当する番組を受信し、記録媒体であるビデオカセットレコーダの磁気テープに記録するとともに、記録後に記憶部に記憶されている話数を＋１して更新記憶する放送信号受信システムが記載されている。
【０００４】
また、特許文献２には、録画される連続放送番組に関して月単位、週単位または日単位に録画する予約モードを選択すると、選択された予約モードに基づいて次回のタイマー予約録画すべき連続放送番組の第ｉ（ｉ＝１〜ｎ）話を設定し、この設定された連続放送番組の次回第ｉ話を予約モードに基づいて録画する記録再生装置が記載されている。
【０００５】
また、特許文献３には、番組設定手段で設定された番組話数をシリーズ情報復調手段で復調されたシリーズ記述子から検索する番組検索手段を備え、シリーズ番組の録画に抜けが生じた場合に、シリーズ記述子を用いて予約できなかった番組を検出し、その抜け番組の再録画を自動的に行うデジタル放送受信装置が記載されている。
【０００６】
また、特許文献４には、番組をグループとして扱うシリーズ番組情報一覧をＥＰＧ画面と同一画面に表示し、切替手段によりＥＰＧ画面、シリーズ番組一覧、番組内容一覧の何れかをアクティブ状態に切替え、シリーズ番組一覧表の画面のアクティブ状態において、シリーズ番組を選択することにより、番組内容一覧表を表示し、この番組内容一覧表においてシリーズ番組の各放送回の情報が表示されるので、この番組内容一覧表から所望の放送回を選択することにより、その放送回の番組説明および／または録画予約を行うように制御する番組表搭載デジタル放送受信機が記載されている。
【特許文献１】特開２００１−２４５２４４号公報
【特許文献２】特開２００２−８４４８１号公報
【特許文献３】特開２００２−３５４３５４号公報
【特許文献４】特開２００６−１１５２２７号公報
【発明の開示】
【発明が解決しようとする課題】
【０００７】
上記特許文献１〜４によれば、録画済みの番組データが何話目であるのかを確認したい場合、タイトル一覧を表示（例えば、番組のサムネイル画像を表示）すると、そこに話数（すなわち、第何話）が表示されるので、サブタイトルや本編を再生しなくても、話数を確認することができる。
【０００８】
しかし、上記特許文献１〜４に記載のものはいずれも、電子番組表（ＥＰＧ）等の番組情報を含むデジタル放送信号の番組データを録画する場合に対応したものであり、電子番組表のような番組情報を含まないアナログ放送信号の番組データを録画予約によって記録媒体に記録する場合には、話数を併せて記録することができないといった問題があった。
【０００９】
そのため、アナログ放送信号の番組データを記録媒体に記録した場合、録画した番組の話数を確認するためには、タイトルの一覧表示では分からず、ユーザはサブタイトルや本編を再生して確認するか、何か別の資料（番組表の掲載されている雑誌等）を探すか、インターネット等で調べて確認する必要があった。
【００１０】
本発明はかかる問題点を解決すべく創案されたもので、その目的は、電子番組表のような番組情報を含まないアナログ放送信号のシリーズ番組を録画予約によって記録媒体に記録する場合でも、タイトルの一覧表示のみで録画番組の話数まで確認できるようにした記録装置を提供することにある。
【課題を解決するための手段】
【００１１】
上記課題を解決するため、本発明の記録装置は、電子番組表のような番組情報を含まないアナログ放送信号の番組データを録画予約によって記録媒体に記録する制御手段を備えた記録装置において、前記制御手段は、シリーズ番組のシリーズ録画予約時に自動タイトル番号の記録モードが選択されると、そのシリーズ番組の放送パターンと録画予約日とに基づいて、前記シリーズ番組のそれ以降の話数を計算し、予約録画時には前記計算した話数のデータを番組データとともに前記記録媒体に記録することを特徴としている。
【００１２】
この場合、シリーズ録画予約時の自動タイトル番号の記録モードでは、前記放送パターンに従った録画パターンの選択、タイトル名の入力、開始話数の設定の各項目の設定画面が表示され、ユーザがこの設定画面の各項目に入力を行うことで、制御手段が前記話数の計算を開始するようになっている。
【００１３】
また、制御手段は、現在時刻を計時する時計機能と年月日を計測するカレンダー機能とを備えており、話数の計算をこれら時計機能とカレンダー機能とを用いて行うようになっている。また、前記放送パターンは、毎日放送、毎週放送、月曜から金曜まで毎日放送、月曜から土曜まで毎日放送などの各種パターンのことである。この場合、前記放送パターンが１回の放送時に複数話を放送するパターンである場合、シリーズ録画予約時の自動タイトル番号の記録モードでは、話数分割のための分割時間設定画面がさらに表示され、この分割時間設定画面に話数分に対応した分割時間が入力されると、前記制御手段は、この入力分割時間に従って、複数話の連続放送を各話ごとに分割して順次話数を計算するように構成してもよい。
【００１４】
また、本発明では、前記制御手段は、前記記録媒体に記録されたシリーズ番組の一覧を表示するときには、前記タイトル名とともに話数も併せて表示するようになっている。これにより、電子番組表のような番組情報を含まないアナログ放送信号のシリーズ番組を録画予約によって記録媒体に記録した場合でも、タイトルの一覧表示のみで録画番組の話数まで確認することができる。
【発明の効果】
【００１５】
本発明の記録装置によれば、電子番組表のような番組情報を含まないアナログ放送信号のシリーズ番組をシリーズ録画予約によって記録媒体に記録する場合に、録画パターンと録画予約日とに基づいてシリーズ番組の話数を計算によって求め、予約録画時には計算した話数のデータを番組データとともに記録媒体に記録する構成としたので、再生時には、タイトルの一覧表示のみで録画番組の話数も表示することができる。これにより、録画した番組の話数を確認する場合、ユーザはサブタイトルや本編を再生したり、何か別の資料を探したり、インターネット等で調べたりしなくても、録画番組の話数を簡単に確認することができる。
【発明を実施するための最良の形態】
【００１６】
以下、本発明の実施の形態について、図面を参照して説明する。
【００１７】
図１は、本発明の一実施形態である記録装置の構成を示すブロック図である。
本実施形態の記録装置１は、アンテナ１６により受信されたアナログ放送信号やデジタル放送信号等のテレビ放送から選択されたチャンネルの番組放送を受信するチューナ２と、受信した番組の映像データの信号を処理する信号処理回路３と、信号処理後の映像データをＤＶＤ（Ｄｉｇｉｔａｌ Ｖｅｒｓａｔｉｌｅ Ｄｉｓｋ）等の光ディスクに記録再生するＤＶＤ部５と、信号処理後の映像データをハードディスク（ＨＤ）に記録再生するＨＤＤ（Ｈａｒｄ Ｄｉｓｋ Ｄｒｉｖｅ）部６と、これらＤＶＤ部５及びＨＤＤ部６の記録再生を制御するストレージ制御部７と、文字情報信号を映像信号に重畳して、文字情報をモニタ装置３０の画面に表示するＯＳＤ（Ｏｎ−Ｓｃｒｅｅｎ Ｃｈａｒａｃｔｅｒ Ｄｉｓｐｌａｙ）回路８と、音声信号を増幅してスピーカ４０を駆動する音声出力回路９と、本装置のシステム全体を制御するマイコン１２と、各種データを記憶するメモリ（ＥＥＰＲＯＭやフラッシュメモリ等）１３と、年月日の日付を計測するカレンダー機能及び現在時刻を計時する時計機能を有するクロック回路１４と、リモコン２０から送信された赤外線信号のリモコン信号を受信して、所定の電気信号に変換するリモコン受信部１５とで構成されている。
【００１８】
上記構成の記録装置１において、本実施形態では特に、電子番組表（ＥＰＧデータ）のような番組情報を含まないアナログ放送信号の番組データを、録画予約によってＤＶＤやハードディスク（ＨＤ）等の記録媒体に記録する場合の処理に特徴を有している。すなわち、本実施形態の記録装置１は、シリーズ番組を順次録画するシリーズ録画予約機能と、このシリーズ録画予約機能の実行時にさらに、自動タイトル番号を記録する機能とを備えている。
【００１９】
具体的には、マイコン１２は、アナログ放送によるシリーズ番組のシリーズ録画予約時に、自動タイトル番号の記録モードが選択されると、そのシリーズ番組の放送パターン（毎日放送、毎週放送、月曜から金曜まで毎日放送、月曜から土曜まで毎日放送などの各種放送パターン）と録画予約日とに基づいて、シリーズ番組のそれ以降の話数を計算し、予約録画時には計算した話数のデータを番組データとともに記録媒体であるＤＶＤまたはハードディスク（ＨＤ）に記録するようになっている。この場合、シリーズ録画予約時の自動タイトル番号の記録モードでは、放送パターンに従った録画パターンの選択、タイトル名の入力、開始話数の設定の各項目の設定画面がモニタ装置３０に表示され、ユーザがこの設定画面の各項目に入力を行うことで、マイコン１２が話数の計算を開始するようになっている。さらに、放送パターンが１回の放送時に複数話を放送するパターンである場合、シリーズ録画予約時の自動タイトル番号の記録モードでは、話数分割のための分割時間設定画面がさらに表示され、この分割時間設定画面に話数分に対応した分割時間が入力されると、マイコン１２は、この入力分割時間に従って、複数話の連続放送を各話ごとに分割して順次話数を計算するようになっている。
【００２０】
以下、シリーズ番組のシリーズ録画予約時において、自動タイトル番号の記録モードが選択された場合のマイコン１２による処理動作の実施例１について、図２及び図３に示すフローチャート、並びに図４ないし図６、図８に示す表示画面例を参照して具体的に説明する。
【実施例１】
【００２１】
まず、シリーズ録画予約時の自動タイトル番号の記録処理動作について、図２に示すフローチャート及び図４ないし図６に示す表示画面例を参照して説明する。
【００２２】
シリーズ番組の録画予約を行うために、ユーザがリモコン２０の図示しないメニューボタンを操作すると、モニタ装置３０には図示しないメニュー画面が表示されるので、ユーザは、このメニュー画面から録画予約の項目を選択してリモコン２０の図示しない決定ボタンを操作することにより、録画予約モードに移行する。
【００２３】
録画予約モードに移行すると、モニタ装置３０には、図４に示す録画予約画面５０が表示される。この録画予約画面５０では、予約番号、放送日、放送時間（開始時刻と終了時刻等）、録画チャンネル、録画モード（ＥＰモード、ＳＰモード等）、録画先（ＤＶＤ、ハードディスク（ＨＤ）等）、自動タイトル番号設定、の各項目が表示される。
【００２４】
ユーザは、この各項目にリモコン２０から必要事項を入力することで録画予約を行う。図４に示す例では、予約番号１の放送日の項目５１に「７月２日」、放送時間の項目５２に「午後８時〜８時４５分」、録画チャンネルの項目５３に「２」、録画モードの項目５４に「ＳＰ」、録画先の項目５５に「ハードディスク（ＨＤ）」が入力されている。
【００２５】
ここで、自動タイトル番号設定の項目５６には、初期設定として「ＯＦＦ」が入力されている。上記各項目５１〜５５の設定がシリーズ録画予約ではない通常録画予約である場合には、ユーザは、この状態で画面右下の「決定」ボタン５７を押せばよい。これにより、従来通り通常録画予約が設定される。
【００２６】
一方、上記設定の放送番組がシリーズ番組であり、このシリーズ番組を話数も含めて順次録画して行きたい場合には、自動タイトル番号設定の項目５６を選択する。すなわち、カーソルを自動タイトル番号設定の項目５６の「ＯＦＦ」表示されているところに合わせてリモコン２０の図示しない決定ボタンを押す（ステップＳ１でＹｅｓと判断）。これにより、モニタ装置３０には、図５に示す録画パターン設定画面６０が表示される。
【００２７】
録画パターン設定画面６０は、シリーズ番組の録画パターンを設定する画面であり、画面上部には、予め考えられる代表的な録画パターン（すなわち、番組の放送パターン）が番号順に表示されている。すなわち、（１）の項目は放送パターンが毎日の場合、（２）の項目は放送パターンが毎週の場合、（３）の項目は放送パターンが月曜から金曜まで毎日の場合、（４）の項目は放送パターンが月曜から土曜まで毎日の場合である。
【００２８】
また、（５）の項目は「その他」の項目となっており、ユーザが自分でパターンを設定できるようになっている。すなわち、再放送などの場合、その放送パターンは変則的な場合が多く、例えば、月、水、金の隔日であったり、週前半の月曜から水曜までであったり、週後半の水曜から金曜までであったりする場合がある。そのため、このような変則的な放送パターンにも対応可能とするために、その他の項目が設けられている。（５）の「その他」の項目では、ユーザが新聞やインターネットなどで確認した放送パターンに従って、該当する放送曜日の欄にチェックを入れて行き、最後に画面右下の「決定」ボタン６１を押すことで、その他の録画パターンを設定することができる。なお、（１）から（４）の項目の放送パターンを選択する場合は、その位置に画面上のカーソルを移動させて「決定」ボタン６１を押せばよい。これにより、録画パターンが決定される（ステップＳ２でＹｅｓと判断）。
【００２９】
「決定」ボタン６１が押されて録画パターンが決定されると、モニタ装置３０には、図６に示す自動タイトル番号設定画面７０が表示される。
【００３０】
自動タイトル番号設定画面７０は、（１）の項目に最初の放送日「７月２日」、（２）の項目に放送時間「午後８時〜８時４５分」、（３）の項目に録画チャンネル「２」、（４）の項目に録画モード「ＳＰ」、（５）の項目に録画先「ハードディスク（ＨＤ）」が表示される。この（１）〜（５）の各項目の表示は、図４の録画予約で設定した内容が表示されている。また、（６）の録画パターンの項目には、図５で設定した録画パターンが表示されている。
【００３１】
自動タイトル番号設定画面７０にはさらに、（７）の項目７１にタイトル名の入力欄が設けられており、（８）の項目７２に開始タイトル番号の入力欄が設けられており、（９）の項目７３に１回での放送話数の入力欄が設けられており、（１０）の項目７４に分割時間の設定項目が設けられている。すなわち、これら（７）〜（１０）の項目がこの画面でのユーザ設定項目となっている。
【００３２】
ここで、ユーザは、（７）の項目７１に、今回録画するシリーズ番組のタイトル名（番組名：「日本の歴史」）を入力する（ステップＳ３）。タイトル名の入力は、携帯電話などと同様に、リモコン２０の数字ボタンに日本語の単語と英語の単語をそれぞれ複数単語割り当てておき、該当する数字ボタンを所望の単語が出てくるまで押すことで入力することが可能である。また、単語選択は、ＯＳＤ表示を利用して単語一覧をモニタ画面２０に表示し、画面上のカーソルを移動させることで所望する単語を選択するようにしてもよい。
【００３３】
この後、所定時間が経過するまでに（ステップＳ４でＹｅｓと判断される前に）、ユーザは、（８）の項目７２に、開始タイトル番号を入力する（ステップＳ５）。ここで、所定時間を計測するのは、タイトル名を入力したが、その後何も操作されることなく長い時間が経過した場合には、何らかの不都合が生じて設定を断念したと判断して、処理を一旦終了させるためである。
【００３４】
ここで、開始タイトル番号は、例えばシリーズ番組の第１話から録画する場合には、「１」と設定する。また、例えば第１話は内容がよく分からないため単に視聴していたが、その視聴の結果、２話目以降を録画しておこうと思ったような場合には、開始タイトル番号として「２」を設定する。なお、（９）の項目７３及び（１０）の項目７４については、本実施例１では設定しないものとし、次の実施例２で設定するものとする。
【００３５】
すなわち、ユーザは、（９）の項目７３を選択することなく（ステップＳ６でＮｏと判断）、画面右下の「決定」ボタン７５を押すと（ステップＳ７でＹｅｓと判断）、モニタ装置３０には、再び図４に示す録画予約画面５０が表示される（ステップＳ８）。ただし、このときには、自動タイトル番号設定の項目５６が「ＯＦＦ」から「ＯＮ」に変更されている。ユーザは、これらの内容を目視により確認すると、画面右下の「決定」ボタン５７を押す（ステップＳ９でＹｅｓと判断）。これにより、マイコン１２は、予約番号１に設定されたこれらのシリーズ録画予約データを例えばメモリ１３に記憶して（ステップＳ１０）、シリーズ録画予約の処理を終了する。
【００３６】
次に、このようにして設定されたシリーズ録画予約による録画動作時に、自動タイトル番号を付加して録画する処理動作について、図３に示すフローチャート、並びに図６及び図８に示す表示画面例を参照して説明する。
【００３７】
マイコン１２は、上記のシリーズ録画予約が設定されると、クロック回路１４を駆動して、録画開始時刻になったかどうかを監視する（ステップＳ２１）。その結果、録画開始時刻になると、その録画予約されている番組が自動タイトル番号を記録するように設定された番組かどうかを確認する（ステップＳ２２）。この場合の確認は、シリーズ録画予約として記憶されている番組の録画開始時刻と、クロック回路１４の時計機能によって計時されている現在時刻とが一致しているか否かで行い、一致している場合には、自動タイトル番号を記録するように設定された番組の録画であると判断する。
【００３８】
このようにして、録画する番組が自動タイトル番号を付加して記録する番組であることが確認されると（ステップＳ２２でＹｅｓと判断されると）、マイコン１２は、その番組のシリーズ録画予約データを参照して、その録画パターンを確認する（ステップＳ２３〜ステップＳ２７）。
【００３９】
その結果、録画パターンが毎週録画である場合（ステップＳ２３でＹｅｓと判断された場合）には、マイコン１２は、クロック回路１４のカレンダー機能と時計機能とを用いて、録画する番組の話数を、毎週録画予約用の計算手法に従って計算する。すなわち、第１回目の予約日からの経過日時に基づいて現在の話数を算出する（ステップＳ２８）。具体的には、経過日時が第１回目の予約日（当日）である場合には、最初に設定されている話数を、録画した番組に付加して記録する。すなわち、図６に示す（８）の項目７２に設定された開始タイトル番号（話数）が例えば「１」であった場合には、今回録画する番組の話数を「１（第１話）」とする。また、図６に示す（８）の項目７２に設定された開始タイトル番号（話数）が例えば「３」であった場合には、今回録画する番組の話数を「３（第３話）」とする。
【００４０】
また、ステップＳ２８で計算した結果、第１回目の予約日から７日が経過している場合には、最初に設定されている話数に＋１した話数を、録画した番組に付加して記録する。すなわち、図６に示す（８）の項目７２に設定された開始タイトル番号（話数）が「１」であった場合には、今回録画する番組の話数を「２」とする。さらに、ステップＳ２８で計算した結果、第１回目の予約日から１４日が経過している場合には、最初に設定されている話数に＋２した話数を、録画した番組に付加して記録する。すなわち、図６に示す（８）の項目７２に設定された開始タイトル番号（話数）が「１」であった場合には、今回録画する番組の話数を「３」とする。このように、本発明では、録画する番組の話数を第１回目の予約日を基準として、その日からの経過日時に基づいて計算により求める構成としている。これにより、例えば第２話が装置の設定の都合等で録画できなかったような場合でも、その次の週に放送される同タイトルの番組を第３話として録画することが可能となる。つまり、第２話を飛ばして第３話として録画することが可能となる。
【００４１】
また、録画パターンの確認の結果（ステップＳ２３〜ステップＳ２７）、録画パターンが毎日録画である場合（ステップＳ２４でＹｅｓと判断された場合）には、マイコン１２は、クロック回路１４のカレンダー機能と時計機能とを用いて録画する番組の話数を、毎日録画予約用の計算手法に従って計算する。すなわち、第１回目の予約日からの経過日時に基づいて現在の話数を算出する（ステップＳ２９）。具体的には、経過日時が第１回目の予約日（当日）である場合には、最初に設定されている話数を、録画した番組に付加して記録する。すなわち、図６に示す（８）の項目７２に設定された開始タイトル番号（話数）が例えば「１」であった場合には、今回録画する番組の話数を「１」とする。
【００４２】
また、ステップＳ２９で計算した結果、第１回目の予約日から１日が経過している場合には、最初に設定されている話数に＋１した話数を、録画した番組に付加して記録する。すなわち、図６に示す（８）の項目７２に設定された開始タイトル番号（話数）が「１」であった場合には、今回録画する番組の話数を「２」とする。さらに、ステップＳ２９で計算した結果、第１回目の予約日から２日が経過している場合には、最初に設定されている話数に＋２した話数を、録画した番組に付加して記録する。すなわち、図６に示す（８）の項目７２に設定された開始タイトル番号（話数）が「１」であった場合には、今回録画する番組の話数を「３」とする。このように、本発明では、録画する番組の話数を第１回目の予約日を基準として、その日からの経過日時に基づいて計算により求める構成としている。これにより、例えば第２話が装置の設定の都合等で録画できなかったような場合でも、その次の日に放送される同タイトルの番組を第３話として録画することが可能となる。つまり、第２話を飛ばして第３話として録画することが可能となる。
【００４３】
また、録画パターンの確認の結果（ステップＳ２３〜ステップＳ２７）、録画パターンが月曜から金曜まで毎日放送するパターンである場合（ステップＳ２５でＹｅｓと判断された場合）には、マイコン１２は、クロック回路１４のカレンダー機能と時計機能とを用いて録画する番組の話数を、月−金録画予約用の計算手法に従って計算する（ステップＳ３０）。すなわち、月曜から金曜までの計算手法はステップＳ２８と同じである。一方、金曜日の録画が終了すると、マイコン１２は、クロック回路１４のカレンダー機能を利用して曜日を監視し、曜日が月曜日になるまでシリーズ録画動作は行わない。すなわち、翌日の土曜日や翌々日の日曜日の同じ録画開始時刻になっても、録画は行わない。そして、曜日が月曜日になると、第１回目の予約日からの経過日時に基づいて現在の話数を算出する。具体的には、第１回目の予約日から７日が経過している場合には、金曜日に録画した番組の話数に＋１した話数を、録画する番組に付加して記録する。すなわち、図６に示す（８）の項目７２に設定された開始タイトル番号（話数）が「１」であった場合、１回目の予約日の月曜日が１話、火曜日が２話、水曜日が３話、木曜日が４話、金曜日が５話と計算（実際に録画したか否かに係わらず計算）できるので、今回録画する月曜日の番組の話数は「６」となる。これにより、例えば第５話の金曜日の番組が装置の設定の都合等で録画できなかったような場合でも、その次の月曜日に放送される同タイトルの番組を第６話として（５話を飛ばして）録画することが可能となる。
【００４４】
なお、ステップＳ２６でＹｅｓと判断された場合のステップＳ３１の処理、及びステップＳ２７でＹｅｓと判断された場合のステップＳ３２の処理も、実質的に上記ステップＳ２８、ステップＳ２９、ステップＳ３０等の処理と同等に行うことができるので、ここでは説明を省略する。
【００４５】
このようにし話数を計算すると、マイコン１２は、録画した番組データに、算出した話数を付加して記録媒体に記録する（ステップＳ３３）。これにより、電子番組表のような番組情報を含まないアナログ放送信号の受信時において、シリーズ番組の録画時に、自動タイトル番号（話数）を付加して録画することが可能となる。
【００４６】
一方、このようにして録画したシリーズ番組の内容を確認する場合、ユーザはリモコン２０を操作して、メニュー画面からシリーズ録画の録画リストを選択する。これにより、例えば図８に示すように、各番組のサムネイル画像の下に番組情報が付加された録画リスト一覧が表示される。図８に示す録画リスト一覧は毎週録画の場合の一部の表示例であり、１４回目の録画ではその話数が「第１４話」として表示されており、１５回目の録画ではその話数が「第１５話」として表示されている。従って、ユーザは、この録画リスト一覧からさらにサブタイトルを再生したり、本編を再生しなくても、この録画リスト一覧を見るだけで、その番組がシリーズ番組の第何話であるかを確認することができる。
【００４７】
なお、ステップＳ５で話数が設定された場合や、ステップＳ２８〜ステップＳ３２で話数が計算された場合、マイコン１２は、タイトル番号の設定が上限値を超えていないかどうかを判断するように構成してもよい。ここで、上限値とは、本装置で記録可能な話数の上限値のことである。例えば、本装置で１０００話まで記録可能であった場合に、すでにその１０００話分が記録されている場合には、今回録画時の話数が１００１話目になるため、上限値を超えることになる。そのため、この場合には、モニタ装置３０に記録限界でありシリーズ録画ができない旨を表示してユーザに通知する。
【実施例２】
【００４８】
本実施例２は、図２に示すステップＳ６で、１回の放送話数を設定することを選択した場合の実施例である。すなわち、この場合には、１回の放送話数と分割時間とを設定する。以下、図６及び図７に示す画面表示例を参照して具体的に説明する。
【００４９】
上記したように、再放送などの場合、その放送パターンは変則的な場合が多く、その例は上記した通りであるが、その他にも、例えば１回の放送で複数話（１話から３話まで等）を一挙に放送するような場合もある。このような場合には、話数をどのように設定するかが問題となる。
【００５０】
そこで、本実施例２では、このような場合を考慮し、１回の放送で複数話が連続して放送される場合には、ステップＳ６で「放送話数を設定する」を選択（ステップＳ６でＹｅｓと判断）することになる。具体的には、図６に示す（９）の項目７３と（１０）の項目７４とを設定することになる（ステップＳ１１〜ステップＳ１３）。
【００５１】
すなわち、（８）の項目７２まで入力した後、ユーザは、（９）の項目７３に１回の放送話数を入力する（ステップＳ１１）。上記したように、１回の放送で３話ずつ放送する場合には、（９）の項目７３に「３」を入力する。この後、ユーザは、１回に放送される３話分をひとまとめにした番組データとして記録する場合には、次の（１０）の項目７４は設定（入力）せずに「決定」ボタン７５を押す（ステップＳ１２でＮｏ、ステップＳ７でＹｅｓと判断）。これにより、モニタ装置３０には、再び図４に示す録画予約画面５０が表示される（ステップＳ８）。ただし、このときには、自動タイトル番号設定の項目５６が「ＯＦＦ」から「ＯＮ」に変更されている。ユーザは、これらの内容を目視により確認すると、画面右下の「決定」ボタン５７を押す（ステップＳ９でＹｅｓと判断）。これにより、マイコン１２は、予約番号１に設定されたこれらのシリーズ録画予約データを例えばメモリ１３に記憶して（ステップＳ１０）、シリーズ録画予約の処理を終了する。
【００５２】
このような処理により、マイコン１２は、１回に放送される３話分を番組データとしては１話分として扱う一方で、話数としては３話分として計算する。すなわち、（８）の項目７２の開始タイトル番号に設定された話数が「１」であった場合、その番組を録画したときに、話数の計算としては、その設定された話数「１」から３話分、すなわち「第１話〜第３話」が録画されたものとして話数を計算する。
【００５３】
その結果、１回目が録画されると、その録画された番組データには、話数データとして「第１話〜第３話」が付加されることになる。同様に、２回目が録画されると、その録画された番組データには、話数データとして「第４話〜第６話」が付加され、３回目が録画されると、その録画された番組データには、話数データとして「第７話〜第９話」が付加されることになる。これにより、録画リスト一覧を表示すると、１回目に録画した番組のサムネイル画像の下の話数の表示箇所には「第１話〜第３話」と表示され、２回目に録画した番組のサムネイル画像の下の話数の表示箇所には「第４話〜第６話」と表示され、３回目に録画した番組のサムネイル画像の下の話数の表示箇所には「第７話〜第９話」と表示されることになる。
【００５４】
一方、ユーザは、（９）の項目７３に１回の放送話数として「３」を入力した後、次の（１０）の項目７４の分割時間を選択すると（ステップＳ１２でＹｅｓと判断）、モニタ装置３０には、図７（ａ）に示す分割時間設定画面８０Ａが表示される。
【００５５】
この分割時間設定画面８０Ａは、（９）の項目７３で設定した放送話数によってその分割数が決定されている。すなわち、放送話数として「３」を入力した場合、３話を区分するのは１話目と２話目の区切り時刻と、２話目と３話目の区切り時刻の２箇所でよい。従って、分割時間設定画面８０Ａでは、２箇所の区切り時刻を入力するようになっている。ここで、この図７（ａ）に示す例では、各区切り時刻を直接入力するようになっている。従って、ユーザは、この２箇所の区切り時刻の欄に区切り時刻を直接入力し（ステップＳ１３）、画面右下の「決定」ボタン８１を押すと、図６の自動タイトル番号設定画面７０に戻る。このとき、（１０）の項目７４の分割時間の表示窓は、初期設定の「設定ナシ」表示から「設定有り」の表示に変更されている。そして、自動タイトル番号設定画面７０の画面右下の「決定」ボタン７５を押すと（ステップＳ７でＹｅｓと判断）、モニタ装置３０には、再び図４に示す録画予約画面５０が表示される（ステップＳ８）。ただし、このときには、自動タイトル番号設定の項目５６が「ＯＦＦ」から「ＯＮ」に変更されている。ユーザは、これらの内容を目視により確認すると、画面右下の「決定」ボタン５７を押す（ステップＳ９でＹｅｓと判断）。これにより、マイコン１２は、予約番号１に設定されたこれらのシリーズ録画予約データを例えばメモリ１３に記憶して（ステップＳ１０）、シリーズ録画予約の処理を終了する。
【００５６】
このようにして分割時間を設定した場合には、１回の放送での複数話の番組の録画時に、マイコン１２はこの設定された区切り時刻を考慮して、番組データを１話ずつ区切って記録するとともに、話数についても１話ずつ順次区切って（インクリメントして）記録することになる。すなわち、このときの自動タイトル番号の記録は、上記実施例１の場合と同様である。
【００５７】
また、図７（ｂ）及び（ｃ）は、分割時間の他の設定画面例を示している。すなわち、図７（ｂ）に示す分割時間設定画面８０Ｂでは、各話の区切り時刻を直接入力するのではなく、最初の録画開始時刻から何分毎に区切るのかを入力するようになっている。録画開始時刻は図４に示す録画予約画面５０ですでに入力されているので、この時刻（××時△△分）が自動的に表示される。すなわち、分割時間設定画面８０Ｂでユーザが入力するのは、符号８２で示された何分毎の何分の数値だけである。
【００５８】
また、図７（ｃ）に示す分割時間設定画面８０Ｃでは、各話の開始時刻と終了時刻とを入力するようになっている。この例では、第１話の開始時刻と終了時刻、第２話の開始時刻と終了時刻、第３話の開始時刻と終了時刻をそれぞれ入力するようになっている。すなわち、各話の間には通常コマーシャルが入るので、これをカットしたいと考えるユーザにとっては、このように、各話の終了時刻も入力できるようにしておく方が便利である。図７（ｃ）は、このような場合を考慮した分割時間の設定画面となっている。
【図面の簡単な説明】
【００５９】
【図１】本発明の一実施形態である記録装置の構成を示すブロック図である。
【図２】シリーズ録画予約時の自動タイトル番号の記録処理動作を示すフローチャートである。
【図３】シリーズ録画予約による録画動作時に自動タイトル番号を付加して録画する処理動作を示すフローチャートである。
【図４】録画予約画面の表示例を示す説明図である。
【図５】録画パターン設定画面の表示例を示す説明図である。
【図６】自動タイトル番号設定画面の表示例を示す説明図である。
【図７】分割時間設定画面の表示例を示す説明図である。
【図８】録画リストの表示例を示す説明図である。
【符号の説明】
【００６０】
１  記録装置
２  チューナ
３  信号処理回路
５  ＤＶＤ部
６  ＨＤＤ部
７  ストレージ制御部
３  ＯＳＤ回路
９  音声出力回路
１２  マイコン
１３  メモリ
１４  クロック回路
１５  リモコン受信部
２０  リモコン
３０  モニタ装置
４０  スピーカ
【図１】
2008072483.tif 000003
【図２】
2008072483.tif 000004
【図３】
2008072483.tif 000005
【図４】
2008072483.tif 000006
【図５】
2008072483.tif 000007
【図６】
2008072483.tif 000008
【図７】
2008072483.tif 000009
【図８】
2008072483.tif 000010